(57)【要約】【課題】接続対象物をインシュレータから引き抜いたときにコンタクトがインシュレータから脱落する虞が殆ど無いコネクタを提供することである。【解決手段】インシュレータ３に、ＦＰＣ２１の一端部を受け容れる第１受容部３１と、ＬＥＤ２３を受け容れる第２受容部３２とを設けた。コンタクト５に、インシュレータ３に保持される圧入部５１と、第１受容部３１に配置され、ＦＰＣ２１の導体パターン２１ａに接触する第１接触部５２と、第２受容部３２に配置され、ＬＥＤ２３の電極２３ａ，２３ｂ又は２３ｃ，２３ｄに接触する第２接触部５３とを設けた。更に、インシュレータ３に、ＬＥＤ２３の第２受容部３２に対する挿抜方向ｂとほぼ直角の方向ａへ延びて第１受容部３１から第２受容部３２へ通じ、圧入部５１が圧入される圧入孔３２ｋを設けた。【選択図】        図１
2005019187.tif 000002
【特許請求の範囲】
【請求項１】
インシュレータと、このインシュレータに保持される複数のコンタクトとを備え、
前記インシュレータに、一方の接続対象物の接続端部を受け容れる第１受容部が設けられているとともに、他方の接続対象物を受け容れる第２受容部が設けられ、
前記コンタクトは、前記インシュレータに保持される保持部と、前記第１受容部に配置され、前記一方の接続対象物の接続端部に接触する第１接触部と、前記第２受容部に配置され、前記他方の接続対象物の電極に接触する第２接触部とを有するコネクタにおいて、
前記他方の接続対象物の前記第２受容部に対する挿抜方向とほぼ直角の方向へ延びて前記第１受容部から前記第２受容部へ通じ、前記保持部が圧入されるコンタクト挿入孔が、前記インシュレータに設けられている
ことを特徴とするコネクタ。
【請求項２】
前記第１接触部と前記保持部と前記第２接触部とが前記挿抜方向とほぼ直角の方向へ直列に並んでいることを特徴とする請求項１記載のコネクタ。
【請求項３】
前記インシュレータの前記第２受容部の底面に孔が設けられていることを特徴とする請求項１又は２記載のコネクタ。
【請求項４】
前記インシュレータに回転可能に設けられ、前記一方の接続対象物の接続端部が前記第１受容部に挿入されたときだけその接続端部を前記コンタクトの前記第１接触部に押し付けるアクチュエータを備えていることを特徴とする請求項１、２又は３記載のコネクタ。
【発明の詳細な説明】
【０００１】
【発明の属する技術分野】
この発明は２つの接続対象物を受容してそれらを互いに電気的に接続するコネクタに関する。
【０００２】
【従来の技術】
従来、２つの接続対象物を受容してそれらを互いに電気的に接続するコネクタとして、コネクタ本体と第１のコンタクト端子と第２のコンタクト端子とを備えているものが知られている（下記特許文献１参照）。
【０００３】
コネクタ本体は樹脂から一体的に成形され、その上部に素子収容凹部が形成されている。コネクタ本体の側面には溝部が形成されている。第１のコンタクト端子はコネクタ本体の一方の側面から上面にわたって形成された溝に圧入固定され、第１のコンタクト端子の一端は素子収容凹部の一方の壁部に延在し、他端はコネクタ本体の一方の側面に対して直角の方向に延在している。第２のコンタクト端子はコネクタ本体の他方の側面から上面にわたって形成された複数の溝に圧入固定され、第２のコンタクトの一端は素子収容凹部の他方の壁部に延在して第１のコンタクト端子の一端と向き合い、他端はコネクタ本体の側面に形成され溝部内に延在している。
【０００４】
第１及び第２のコンタクト端子の一端は素子収容凹部に収容されたフィルタアレイの電極と圧接するとともにフィルタアレイを保持する。
【０００５】
第１のコンタクト端子の他端はプリント基板の信号ラインに半田付けされる。第２のコンタクト端子の他端はコネクタ本体の溝部内に挿入されたフレキシブル基板の信号ラインに接触する。
【０００６】
【特許文献１】
特開平６−７６８９４号公報（段落０００６〜９、図１）
【０００７】
【発明が解決しようとする課題】
ところが、従来のコネクタではフィルタアレイを素子収容凹部から引き抜くときにコンタクト端子に生じるモーメントをコネクタ本体の外面に形成された溝で受け止めることになる。このため、コンタクト端子がコネクタ本体から脱落する虞があった。
【０００８】
この発明はこのような事情に鑑みてなされたもので、その課題は接続対象物をインシュレータから引き抜いたときにコンタクトがインシュレータから脱落する虞が殆ど無いコネクタを提供することである。
【０００９】
【課題を解決するための手段】
前述の課題を解決するため請求項１の発明のコネクタは、インシュレータと、このインシュレータに保持される複数のコンタクトとを備え、前記インシュレータに、一方の接続対象物の接続端部を受け容れる第１受容部が設けられているとともに、他方の接続対象物を受け容れる第２受容部が設けられ、前記コンタクトは、前記インシュレータに保持される保持部と、前記第１受容部に配置され、前記一方の接続対象物の接続端部に接触する第１接触部と、前記第２受容部に配置され、前記他方の接続対象物の電極に接触する第２接触部とを有するコネクタにおいて、前記他方の接続対象物の前記第２受容部に対する挿抜方向とほぼ直角の方向へ延びて前記第１受容部から前記第２受容部へ通じ、前記保持部が圧入されるコンタクト挿入孔が、前記インシュレータに設けられていることを特徴とする。
【００１０】
上述のようにコンタクトの保持部が圧入されているコンタクト挿入孔は他方の接続対象物の第２受容部に対する挿抜方向とほぼ直角な方向へ延びているので、他方の接続対象物を第２受容部から引き抜くときにコンタクトに生じるモーメントがコンタクト挿入孔によって受け止められ、コンタクトの脱落が阻止される。
【００１１】
請求項２の発明は、請求項１記載のコネクタにおいて、前記第１接触部と前記保持部と前記第２接触部とが前記挿抜方向とほぼ直角の方向へ直列に並んでいることを特徴とする。
【００１２】
上述のように第１接触部と保持部と第２接触部とが他方の接続対象物の挿抜方向とほぼ直角の方向へ直列に並んでいるので、インシュレータの寸法（他方の接続対象物の挿抜方向の寸法）を小さくすることが可能である。
【００１３】
請求項３の発明は、請求項１又は２記載のコネクタにおいて、前記インシュレータの前記第２受容部の底面に孔が設けられていることを特徴とする。
【００１４】
上述のようにインシュレータの第２受容部の底面に孔が設けられているので、この孔を通じて棒等を第２受容部に挿入して第２受容部内の接続対象物を押し出すことができる。
【００１５】
請求項４の発明は、請求項１、２又は３記載のコネクタにおいて、前記インシュレータに回転可能に設けられ、前記一方の接続対象物の接続端部が前記第１受容部に挿入されたときだけその接続端部を前記コンタクトの前記第１接触部に押し付けるアクチュエータを備えていることを特徴とする。
【００１６】
上述のようにアクチュエータがインシュレータに回転可能に設けられているので、アクチュエータを回転させることによって一方の接続対象物の接続端部が第１接触部に対して接触したり、離れたりする。
【００１７】
【発明の実施の形態】
以下、この発明の実施の形態を図面に基づいて説明する。
【００１８】
図１はこの発明の一実施形態に係るコネクタにＦＰＣ及びＬＥＤを挿入する前の状態を示す斜視図、図２は図１に示すコネクタにＦＰＣ及びＬＥＤを挿入した後の状態を示す斜視図、図３は図１に示すコネクタを図１のＩＩＩ−ＩＩＩ線に沿って縦に切断した状態を示す斜視図、図４は図１に示すコネクタのコンタクトの斜視図、図５は図１に示すコネクタのアクチュエータの斜視図、図６は図１のＶＩ−ＶＩ線に沿う断面図、図７は図６と同じ切断位置の断面図であってコネクタにＦＰＣ及びＬＥＤが挿入されている状態を示す断面図である。
【００１９】
図１に示すように、このコネクタはＦＰＣ（一方の接続対象物）２１とＬＥＤ（他方の接続対象物）２３とを電気的に接続するためのコネクタであり、インシュレータ３と複数のコンタクト５とアクチュエータ７とを備える。
【００２０】
インシュレータ３は合成樹脂から形成され、図２に示すように、第１受容部３１と第２受容部３２とを有する。
【００２１】
第１受容部３１は底部３１ａと側壁部３１ｂ，３１ｃとで仕切られた空間である。第１受容部３１に対してＦＰＣ２１を挿抜方向ａに沿って挿抜可能である。図３に示すように、底部３１ａには後述するコンタクト５の接触片５２ａを収容する複数の溝３１ｅが形成されている。側壁部３１ｂ，３１ｃには押え部３１ｆがそれぞれ形成されている。押え部３１ｆの下面には段差を有するガイド面３１ｇが形成されている（図６，７参照）。ガイド面３１ｇは、ＦＰＣ２１の一端部（接続端部）が第１受容部３１に挿入されるときに、底部３１ａの上面３１ｈと協働して、ＦＰＣ２１の一端部を後述するコンタクト５の第１接触部５２に案内する。押え部３１ｆは、ＦＰＣ２１の一端部が第１受容部３１に挿入されたとき、ＦＰＣ２１の一端部が底部３１ａから離れないようにＦＰＣ２１を押さえる。
【００２２】
第２受容部３２は底部３２ａと側壁部３２ｂ，３２ｃ，３２ｄ，３２ｅとで仕切られた空間である。第２受容部３２に対して３つのＬＥＤ２３を挿入方向ｂに沿って挿抜可能である。挿抜方向ｂと挿抜方向ａとはほぼ直角の関係である。第２受容部３２は仕切り３２ｇによって３つの収容室３２ｈに仕切られている。各収容室３２ｈには１つのＬＥＤ２３が挿入される。底部３２ａには各収容室３２ｈに通じる複数の押出し用孔３２ｉが形成されている。側壁部３２ｄには後述するコンタクト５の接触片５３ａ及び係合部５３ｃを収容する複数の収容孔３２ｊが形成されている。収容孔３２ｊは挿抜方向ａに沿って延び、収容孔３２ｊの一端は収容室３２ｈに通じ、収容孔３２ｊの他端はインシュレータ３の外部に通じている。収容孔３２ｊにコンタクト５を通すことができる。収容孔３２ｊは１つの収容室３２ｈに対して２つあり、２つの収容孔３２ｊは収容室３２ｈに収容されたＬＥＤ２３の一端面の電極２３ａ，２３ｂに対向する。電極２３ａは正極であり、電極２３ｂは負極である。側壁部３２ｅには後述するコンタクト５の圧入部５１を受け容れる圧入孔（コンタクト挿入孔）３２ｋが形成されている（図６，７参照）。圧入孔３２ｋは挿抜方向ａに沿って延びている。圧入孔３２ｋの一端は溝３１ｅに通じ、圧入孔３２ｋの他端は収容室３２ｈに通じている。圧入孔３２ｋは１つの収容室３２ｈに対して２つあり、２つの圧入孔３２ｋは収容室３２ｈに収容されたＬＥＤ２３の他端面の電極２３ｃ，２３ｄ及び収容孔３２ｊに対向する。電極２３ｃは正極であり、電極２３ｄは負極である。
【００２３】
図４に示すように、コンタクト５は弾性及び導電性を有する金属板を打抜いて形成され、圧入部（保持部）５１と第１接触部５２と第２接触部５３とを有する。圧入部５１と第１接触部５２と第２接触部５３とは挿抜方向ａに沿って一列に並んでいる。１つの収容室３２ｈに対して２つのコンタクト５が収容される。
【００２４】
圧入部５１は平板状であり、圧入孔３２ｋに圧入されている。圧入部５１の上面には２つの圧入用突起５１ａが形成されている。圧入部５１の一側面には接点５１ｂが形成されている。接点５１ｂは電極２３ａ又は電極２３ｂに接触する。圧入部５１は第２接触部５３の一部としての機能を兼ね備える。
【００２５】
第１接触部５２はほぼＵ字状であり、圧入部５１の他側面に連なる。第１接触部５２は接触片５２ａと軸受部５２ｂとを有する。挿抜方向ｂにおける接触部５２ａと軸受部５２ｂとの間隔はＦＰＣ２１の厚さ寸法よりも大きい。接触片５２ａの自由端側には２つの接点５２ｃが形成されている。接触片５２ａは溝３１ｅに収容され、その上縁部は第１受容部３１内に突出している。軸受部５２ｂは凹部５２ｄと突起５２ｅとを有し、第１受容部３１内に配置されている。凹部５２ｄは後述するアクチュエータ７の軸部７２を回転可能に支持する。突起５２ｅはアクチュエータ７の回転を制限する。
【００２６】
第２接触部５３は圧入部５１の一側面に連なる。第２接触部５３は接触片５３ａと結合部５３ｂと係合部５３ｃとを有する。接触片５３ａの一端部には接点５３ｄが収容室３２ｈ内に突出するように形成されている。接触片５３ａは挿抜方向ａに沿って撓むことができるように収容孔３２ｊに収容されている。結合部５３ｂは接触片５３ａを圧入部５１に連結する。係合部５３ｃは接触片５３ａに連なる。係合部５３ｃは接触片５３ａとともに挿抜方向ａに沿って移動可能に収容孔３２ｊに収容されている。係合部５３ｃは収容孔３２ｊの内面と係合することによって接触片５３ａの底部３２ａから離れる方向の動きが制限される。
【００２７】
図５に示すように、アクチュエータ７はアクチュエータ本体７１と軸部７２とを有する。
【００２８】
アクチュエータ本体７１の接触片５２ａ側の部分には複数の切欠７１ａが形成されている。切欠７１ａはアクチュエータ本体７１が軸受部５２ｂに干渉するのを防ぐ。アクチュエータ本体７１の先端部は摘み易いように薄くなっている。
【００２９】
軸部７２は切欠７１ａを横切るようにしてアクチュエータ本体７１の長手方向（コンタクト５の配列方向と平行な方向）の一端から他端へ延び、切欠７１ａの一部を塞いでいる。軸部７２の横断面形状はほぼ楕円形である。したがって、軸部７２は湾曲面７２ａ，７２ａ´と平坦面７２ｂ，７２ｂ´とを有する。
【００３０】
次にこのコネクタの取扱の一例について説明する。
【００３１】
ＦＰＣ２１及びＬＥＤ２３をコネクタに挿入するには、まず、図６に示す状態からＬＥＤ２３を収容室３２ｈに挿入する。図７はＬＥＤ２３が挿入されている状態を示す。
【００３２】
次に、アクチュエータ７がコンタクト５の突起５２ｅに突き当たるまでアクチュエータ７を開き、アクチュエータ７を図６に示す状態にする。このとき、アクチュエータ７の軸部７２の平坦面７２ｂがコンタクト５の凹部５２ｄとほぼ面接触する。この結果、アクチュエータ７にある程度の外力が加わらない限り、アクチュエータ７の開状態は保たれる。また、このとき、アクチュエータ７に突き当たった突起５２ｅはアクチュエータ７が側壁部３２ｅの方へ回転しないようにアクチュエータ７の回転を阻止する。
【００３３】
その後、ＦＰＣ２１の導体パターン２１ａを下に向け、ＦＰＣ２１の一端部をコンタクト５の第１接触部５２に挿入する。このとき、接触部５２ａと軸受部５２ｂとの間隔がＦＰＣ２１の厚さ寸法よりも大きく、アクチュエータ７の軸部７２の平坦面７２ｂ´がＦＰＣ２１に接触しないので、ＦＰＣ２１の一端部は無挿入力で第１接触部５２に挿入される。
【００３４】
最後に、アクチュエータ７をＦＰＣ２１の方へ回転させてアクチュエータ７を閉じ、アクチュエータ７を図７に示す状態にする。このとき、アクチュエータ７の軸部７２が回転し、それに伴い軸部７２の湾曲面７２ａが徐々にＦＰＣ２１をコンタクト５の接触片５２ａの方へ押圧し、最終的に図７に示す状態になる。この結果、ＦＰＣ２１の導体パターン２１ａが接触片５２ａに接触する。
【００３５】
以上のようにしてＦＰＣ２１及びＬＥＤ２３がコネクタに挿入される。
【００３６】
一方、ＬＥＤ２３及びＦＰＣ２１をコネクタから外すには、まず、図７に示す状態でインシュレータ３の押出し用孔３２ｉから棒（図示せず）を収容室３２ｈ内に挿入し、ＬＥＤ２３を収容室３２ｈから押し出す。このとき、コンタクト５にはモーメントが発生するが、このモーメントはインシュレータ３の圧入孔３２ｋによって受け止められるとともに、インシュレータ３の収容孔３２ｊの内周面によって受け止められるので、コンタクト５の脱落が阻止される。
【００３７】
次に、アクチュエータ７を側壁部３２ｅの方へ回転させてアクチュエータ７を開く。このとき、軸部７２が回転し、それに伴い軸部７２の湾曲面７２ａが接触片５２ａから徐々に離れ、湾曲面７２ａがＦＰＣ２１を押圧する力が徐々に弱くなり、最終的に軸部７２はＦＰＣ２１に接触しなくなる。
【００３８】
最後に、コンタクト７の第１接触部５２からＦＰＣ２１を引き抜く。
【００３９】
以上のようにしてＦＰＣ２１及びＬＥＤ２３がコネクタから抜き取られる。
【００４０】
次に、この実施形態の効果について説明する。
【００４１】
この実施形態によれば、ＬＥＤ２３を第２受容部３２から引き抜くときにコンタクト５に生じるモーメントが圧入孔３２ｋによって受け止められるので、ＬＥＤ２３を第２受容部３２に対して繰返し挿抜してもコンタクト５がインシュレータ３から脱落する虞が殆どない。
【００４２】
また、第１接触部５２と圧入部５１と第２接触部５３とが挿抜方向ａへ直列に並んでいるので、コンタクト５及びインシュレータ３の挿抜方向ｂの寸法を小さくすることが可能である。したがって、コネクタの低背化を実現することができる。
【００４３】
更に、押出し用孔３２ｉを通じて棒等を収容室３２ｈに挿入して収容室３２ｈ内のＬＥＤ２３を押し出せるので、収容室３２ｈに挿入されたＬＥＤ２３の交換等を容易に行うことができる。
【００４４】
また、アクチュエータ７を操作することによってＦＰＣ２１の一端部が第１接触部５２に対して接触したり、離れたりするので、ＦＰＣ２１の挿抜作業を容易に行うことができる。
【００４５】
なお、この実施形態では２つの接続対象物としてＦＰＣ２１とＬＥＤ２３とが採用されているが、これら以外の接続対象物としては例えばプリント基板やフィルタ等がある。
【００４６】
また、この実施形態では圧入部５１が第２接触部５３の一部としての機能を兼ね備えているが、必ずしもこのような構成にする必要はなく、圧入部５１と第２接触部５３とを完全に分けてもよい。
【００４７】
【発明の効果】
以上説明したように請求項１の発明のコネクタによれば、接続対象物をインシュレータから引き抜いたときにコンタクトがインシュレータから脱落する虞が殆ど無い。
【００４８】
請求項２の発明のコネクタによれば、コネクタを低背化することができる。
【００４９】
請求項３の発明のコネクタによれば、インシュレータの第２受容部に挿入された接続対象物の抜去作業を容易に行うことができる。
【００５０】
請求項４の発明のコネクタによれば、インシュレータの第１受容部に対する接続対象物の挿抜作業を容易に行うことができる。
【図面の簡単な説明】
【図１】図１はこの発明の一実施形態に係るコネクタにＦＰＣ及びＬＥＤを挿入する前の状態を示す斜視図である。
【図２】図２は図１に示すコネクタにＦＰＣ及びＬＥＤを挿入した後の状態を示す斜視図である。
【図３】図３は図１に示すコネクタを図１のＩＩＩ−ＩＩＩに沿って縦に切断した状態を示す斜視図である。
【図４】図４は図１に示すコネクタのコンタクトの斜視図である。
【図５】図５は図１に示すコネクタのアクチュエータの斜視図である。
【図６】図６は図１のＶＩ−ＶＩ線に沿う断面図である。
【図７】図７は図６と同じ切断位置の断面図であってコネクタにＦＰＣ及びＬＥＤが挿入されている状態を示す断面図である。
【符号の説明】
３  インシュレータ
３１  第１受容部
３２  第２受容部
３２ｋ  圧入孔（コンタクト挿入孔）
５  コンタクト
５１  圧入部（保持部）
５２  第１接触部
５３  第２接触部
２１  ＦＰＣ（一方の接続対象物）
２１ａ  導体パターン
２３  ＬＥＤ（他方の接続対象物）
２３ａ，２３ｂ，２３ｃ，２３ｄ  電極
ａ，ｂ  挿抜方向
【図１】
2005019187.tif 000003
【図２】
2005019187.tif 000004
【図３】
2005019187.tif 000005
【図４】
2005019187.tif 000006
【図５】
2005019187.tif 000007
【図６】
2005019187.tif 000008
【図７】
2005019187.tif 000009